(57)【特許請求の範囲】
【請求項１】
各々が帯状の金属板である第１プラグ及び第２プラグが対をなすプラグと、
各々が金属板からなり、それぞれの一方の端部が前記第１プラグ及び前記第２プラグの各々と導通するように構成された第１電極及び第２電極と、
前記プラグ、前記第１電極、及び前記第２電極を収容するとともに保持するフレームと、備え、
前記第１電極の他方の端部は、前記フレームの外部に引き出された第１板バネであって、交流／直流変換回路が実装された基板の入力ポートと導通する第１板バネにより構成されており、
前記第２電極の他方の端部は、前記フレームの外部に引き出された第２板バネであって、交流／直流変換回路が実装された基板の入力ポートと導通する第２板バネにより構成されており、
前記フレームから前記プラグが突出した状態における該プラグの突出した方向を第１方向として、
前記第１板バネ及び前記第２板バネの各々は、前記第１方向と略平行な第１平面に沿って、且つ、前記第１方向とは逆向きに引き出されており、
前記フレームには、前記第１平面と略平行であり、且つ、前記第１平面と所定の間隔だけ離れている第２平面と略一致する位置において、前記第１板バネ及び前記第２板バネとの間に前記基板を挟み込む把持部が設けられており、
前記第１板バネ及び前記第２板バネの各々は、前記第２平面から前記第１平面に向かう方向に作用する力に対して弾性変形し、
前記把持部は、前記第２平面のうち、前記第１板バネ及び前記第２板バネの何れかと対向する位置又は当該対向する位置の近傍に設けられており、
前記第１板バネ及び前記第２板バネの各々は、前記第１平面の略面内に配置された第１領域と、前記第１平面から前記第２平面に近づくように配置された第２領域と、前記第２平面から遠ざかるように配置された第３領域とを備え、
前記フレームには、前記第１板バネ及び前記第２板バネの各々の前記第１領域の背面に沿って配置された２つのサポートであって、前記フレームの外部に引き出された２つのサポートが更に設けられており、
前記２つのサポートは互いに離間している、
ことを特徴とする給電モジュール。
【請求項２】
請求項１に記載の給電モジュールと、
前記基板と、
前記交流／直流変換回路から供給される直流電力を出力する出力ポートと、
前記基板、前記交流／直流変換回路、及び前記出力ポートを収容する筐体と、を備えている、
ことを特徴とするＡＣアダプタ。
【請求項３】
前記基板の一方の主面の外縁の一部には、前記交流／直流変換回路に交流電力を入力する入力ポートが設けられており、
前記基板は、前記入力ポートが前記第１板バネ及び前記第２板バネにより付勢されるように、前記第１板バネ及び前記第２板バネと、前記把持部とにより把持されている、
ことを特徴とする請求項２に記載のＡＣアダプタ。
【請求項４】
前記筐体は、（１）前記基板の前記一方の主面と略平行であり、前記基板を挟み込む一対の底壁と、（２）前記一方の主面と略垂直であり、前記基板の３方を囲む一対の側壁及び前壁と、を備え、
前記フレームは、前記前壁とともに前記基板を挟み込む後壁として機能し、
前記一対の側壁には、間隔が前記基板の幅に略一致し、前記基板を前記第１方向に沿って移動可能な一対のスロットであって、前記基板における前記一方の主面の法線方向に沿った動きを制限する一対のスロットが設けられている、
ことを特徴とする請求項３に記載のＡＣアダプタ。
【請求項５】
前記出力ポートは、前記基板の外縁領域のうち前記前壁に近接する外縁領域に配置されており、
前記前壁の前記出力ポートに対応する領域には、開口が設けられている、
ことを特徴とする請求項４に記載のＡＣアダプタ。
【請求項６】
前記一対の底壁の各々には、それぞれ、該底壁の内壁から線状に突出した１又は複数のリブが形成されている、
ことを特徴とする請求項４又は５に記載のＡＣアダプタ。
【発明の詳細な説明】
【技術分野】
【０００１】
本発明は、ＡＣアダプタ及びＡＣアダプタを構成する給電モジュールに関する。
【背景技術】
【０００２】
近年、商用交流電源の出力ポートであるコンセントから供給される交流電力を直流電力に変換するＡＣアダプタであって、コンセントに差し込むプラグと、交流／直流変換回路とが１つの筐体に収容されたＡＣアダプタが広く普及している。このようなＡＣアダプタにおいては、筐体を構成する壁面のうちプラグが設けられている壁面とは異なる壁面に、直流電力を出力するための出力ポートが設けられている。
【０００３】
このような出力ポートとしては、ＵＳＢ（Universal Serial Bus）の規格に準拠したＵＳＢ  Ｔｙｐｅ−Ａのコネクタジャックが採用される場合が多い。また、近年では、ＵＳＢ  Ｔｙｐｅ−Ｃのコネクタジャックが採用される場合もある。この場合、交流／直流変換回路は、ＵＳＢ  ＰＤ（USB Power Delivery）の規格に準拠するように構成されている。
【発明の概要】
【発明が解決しようとする課題】
【０００４】
上述したようなＡＣアダプタにおいては、プラグのコンセントに差し込まれる側とは逆側の端部を構成する第１電極及び第２電極と、交流／直流変換回路の入力ポートとを導通させるために、半田やねじなどの導通手段を用いている。
【０００５】
しかし、これらの場合、第１電極及び第２電極と、交流／直流変換回路の入力ポートとを導通させるために半田付けやねじを締めるなどといった工程が生じる。
【０００６】
本発明の一態様は、上述した課題に鑑みなされたものである。その目的は、ＡＣアダプタの製造工程を簡略化することができるＡＣアダプタを提供することである。また、第１電極及び第２電極と別のポートとを導通させる工程を簡略化することができる給電モジュールを提供することである。
【課題を解決するための手段】
【０００７】
本発明の第１の態様に係る給電モジュールは、各々が帯状の金属板である第１プラグ及び第２プラグが対をなすプラグと、各々が金属板からなり、それぞれの一方の端部が前記第１プラグ及び前記第２プラグの各々と導通するように構成された第１電極及び第２電極と、前記プラグ、前記第１電極、及び前記第２電極を収容するとともに保持するフレームと、備え、前記第１電極及び前記第２電極の各々の他方の端部は、それぞれ、前記フレームの外部に引き出された第１板バネ及び第２板バネにより構成されている。
【０００８】
上記の構成によれば、第１電極及び第２電極と別のポートとを導通させる場合に、第１板バネ及び第２板バネの弾性を利用することができる。すなわち、半田やねじなどの導通手段を用いることなく、第１電極及び第２電極と、別のポートとを良好に接触させることができる。したがって、第１の態様に係る給電モジュールは、第１電極及び第２電極と別のポートとを導通させる工程を簡略化することができる。
【０００９】
本発明の第２の態様に係る給電モジュールは、上述した第１の態様において、前記フレームから前記プラグが突出した状態における該プラグの突出した方向を第１方向として、前記第１バネ及び前記第２バネの各々は、前記第１方向と略平行な第１平面に沿って、且つ、前記第１方向とは逆向きに引き出されており、前記フレームには、前記第１平面と略平行であり、且つ、前記第１平面と所定の間隔だけ離れている第２平面を規定する把持部が設けられており、前記第１板バネ及び前記第２板バネの各々は、前記第２平面から前記第１平面に向かう方向に作用する力に対して弾性変形する、構成を採用している。
【００１０】
上記の構成によれば、第１平面に沿って引き出された第１板バネ及び第２板バネと、第２平面を規定する把持部と、の間に基板を差し込むことによって、本給電モジュールに基板を接合することができる。基板の主面には、容易に別のポートを形成することができるので、別のポートが形成された基板を、第１板バネ及び第２板バネと把持部との間に差し込むだけで、第１電極及び第２電極と別のポートとを導通させることができる。したがって、第２の態様に係る給電モジュールは、第１電極及び第２電極と別のポートとを導通させる工程を更に簡略化することができる。
【００１１】
本発明の第３の態様に係る給電モジュールは、上述した第２の態様において、前記第１バネ及び前記第２バネの各々は、前記第１平面の略面内に配置された第１領域と、前記第１平面から前記第２平面に近づくように配置された第２領域と、前記第２平面から遠ざかるように配置された第３領域とを備え、前記フレームには、前記第１バネ及び前記第２バネの各々の前記第１領域の背面に沿って配置されたサポートが更に設けられている、構成を採用している。
【００１２】
上記の構成によれば、フレームにサポートが更に設けられているので、別のポートが形成された基板を、第１板バネ及び第２板バネと把持部との間に差し込まれた場合に、第１板バネ及び第２板バネの各々の第１領域が撓みすぎることを防ぐことができる。したがって、第１板バネ及び第２板バネの各々を別のポートにより強く押しつけることができる。
【００１３】
本発明の第４の態様に係るＡＣアダプタは、上述した態様２又は態様３に係る給電モジュールと、基板と、前記基板に実装された交流／直流変換回路と、前記交流／直流変換回路から供給される直流電力を出力する出力ポートと、前記基板、前記交流／直流変換回路、及び前記出力ポートを収容する筐体と、を備えている。
【００１４】
本発明の一態様に係る給電モジュールは、このようにＡＣアダプタに好適に用いることができる。
【００１５】
本発明の第５の態様に係るＡＣアダプタは、上述した第４の態様において、前記基板の一方の主面の外縁の一部には、前記交流／直流変換回路に交流電力を入力する入力ポートが設けられており、前記基板は、他方の主面が前記第２平面と略一致するように、且つ、前記入力ポートが前記第１板バネ及び前記第２板バネにより付勢されるように、前記第１板バネ及び前記第２板バネと、前記把持部とにより把持されている、構成を採用している。
【００１６】
上記の構成によれば、入力ポートが形成された基板を、第１板バネ及び第２板バネと把持部との間に差し込むだけで、第１電極及び第２電極と入力ポートとを導通させることができる。したがって、第５の態様に係るＡＣアダプタは、製造工程を簡略化することができる。
【００１７】
本発明の第６の態様に係るＡＣアダプタは、上述した第５の態様において、前記筐体は、（１）前記基板の前記一対の主面と略平行であり、前記基板を挟み込む一対の底壁と、（２）前記一対の主面と略垂直であり、前記基板の３方を囲む一対の側壁及び前壁と、を備え、前記フレームは、前記前壁とともに前記基板を挟み込む後壁として機能し、前記一対の側壁には、間隔が前記基板の幅に略一致し、前記基板を前記第１方向に沿って移動可能な一対のスロットであって、前記基板における前記一対の主面の法線方向に沿った動きを制限する一対のスロットが設けられている、構成を採用している。
【００１８】
上記の構成によれば、一対の側壁が基板の幅方向（左右方向）に沿った動きを制限し、前壁及びフレームが基板の幅方向に直交する方向（前後方向）に沿った動きを制限し、一対のスロットが基板における一対の主面の法線方向（上下方向）に沿った動きを制限する。すなわち、接着剤やねじなどの固定手段を用いることなく、筐体内に基板を固定することができる。したがって、第６の態様に係るＡＣアダプタは、製造工程を更に簡略化することができる。
【００１９】
本発明の第７の態様に係るＡＣアダプタは、上述した第６の態様において、前記出力ポートは、前記基板の外縁領域のうち前記前壁に近接する外縁領域に配置されており、前記前壁の前記出力ポートに対応する領域には、開口が設けられている、構成を採用している。
【００２０】
上記の構成によれば、筐体を一体成型しておき、基板を一対のスロットに沿って移動させるだけで、開口から出力ポートを露出させることができる。したがって、第７の態様に係るＡＣアダプタは、製造工程をより一層簡略化することができる。
【００２１】
本発明の第８の態様に係るＡＣアダプタは、上述した第６の態様又は第７の態様において、前記一対の底壁の各々には、それぞれ、該底壁の内壁から線状に突出した１又は複数のリブが形成されている、構成を採用している。
【００２２】
上記の構成によれば、筐体内に収容されている基板及び交流／直流変換回路と、一対の底壁の各々との間に、少なくともリブの高さに対応する空間を設けることができる。また、一対の底壁に筐体をつぶす方向の圧力が加えられた場合であっても、基板及び交流／直流変換回路と、一対の底壁の各々とが直に接することを防ぐことができる。したがって、第７の態様に係るＡＣアダプタは、交流／直流変換回路に起因する発熱に対する耐性を高めることができる。
【発明の効果】
【００２３】
本発明の一態様によれば、ＡＣアダプタの製造工程を簡略化することができるＡＣアダプタを提供することができる。また、本発明の一態様によれば、第１電極及び第２電極と別のポートとを導通させる工程を簡略化することができる給電モジュールを提供することができる。
【図面の簡単な説明】
【００２４】
【図１】本発明の一実施形態に係るＡＣアダプタの斜視図及び分解斜視図である。
【図２】図１に示したＡＣアダプタが備えている筐体の平面図である。
【図３】図１に示したＡＣアダプタが備えている基板の平面図である。
【図４】図１に示したＡＣアダプタが備えているプラグ、電極対、及び第２フレームの斜視図である。
【図５】図４に示した電極対の斜視図である。
【図６】図４に示したプラグを構成する第１プラグの側面図である。
【発明を実施するための形態】
【００２５】
〔ＡＣアダプタの概要〕
本発明の一実施形態に係るＡＣアダプタ１について、図１〜図６を参照して説明する。図１は、ＡＣアダプタ１の斜視図及び分解斜視図である。図２は、ＡＣアダプタ１が備えている筐体２０の平面図である。図３は、ＡＣアダプタ１が備えている基板３０の平面図である。図４は、ＡＣアダプタ１が備えているプラグ１１、電極対１２、及び第２フレーム１３２の斜視図である。図５は、電極対１２の斜視図である。図６は、プラグ１１を構成する第１プラグ１１１の側面図である。なお、本実施形態では、ＡＣアダプタ１が備えている基板３０の一対の主面である主面３０ａ，３０ｂがｚｘ平面と平行になり、フレーム１３から突出した状態のプラグ１１が突出した方向がｚ軸正方向となるように、直交座標系を定めている。
【００２６】
図１に示すように、ＡＣアダプタ１は、給電モジュール１０、筐体２０、及び基板３０を備えている。給電モジュール１０も本発明の一実施形態である。
【００２７】
給電モジュール１０は、商用交流電源の出力ポートであるコンセントから供給される交流電力を、基板３０に設けられた入力ポート３１を介して交流／直流変換回路３３（図１には不図示）に供給する。交流／直流変換回路３３は、供給された交流電力を、所定の電圧比を有する直流電力に変換する。
【００２８】
本実施形態において、出力ポート３２は、ＵＳＢ（Universal Serial Bus）の規格に準拠したＵＳＢ  Ｔｙｐｅ−Ａのコネクタジャックである。したがって、出力ポート３２には、一方の端部にＵＳＢ  Ｔｙｐｅ−Ａのコネクタプラグが設けられたＵＳＢケーブルを接続することができる。出力ポート３２は、交流／直流変換回路３３から供給される直流電力を、ＵＳＢケーブルを介して接続された外部端末へ出力する。なお、図１においては、出力ポート３２（すなわち、のＵＳＢ  Ｔｙｐｅ−Ａのコネクタジャック）の図示を省略している。
【００２９】
ただし、出力ポート３２は、ＵＳＢの規格に準拠したＵＳＢ  Ｔｙｐｅ−Ａのコネクタジャックに限定されるものではなく、用途に応じて市販されているコネクタジャックのなかから適宜選択することができる。他のコネクタジャックの例としては、ＵＳＢ  Ｔｙｐｅ−Ｃのコネクタジャックが挙げられる。また、出力ポート３２としてＵＳＢ  Ｔｙｐｅ−Ｃのコネクタジャックを採用している場合、交流／直流変換回路３３は、ＵＳＢ  ＰＤ（USB Power Delivery）の規格に準拠するように構成されていてもよい。
【００３０】
以上のように構成されたＡＣアダプタ１は、交流／直流変換器の一例であり、商用交流電源を用いて外部端末を充電する充電器として機能する。
【００３１】
以下において、ＡＣアダプタ１の構成について説明する。
【００３２】
＜給電モジュール＞
給電モジュール１０は、図１の分解斜視図に示すように、コンセントに差し込み可能なプラグ１１、電極対１２、及びフレーム１３を備えている。フレーム１３は、第１フレーム１３１及び第２フレーム１３２を備えている。
【００３３】
（プラグ）
プラグ１１は、第１プラグ１１１及び第２プラグ１１２を備え、これらが対をなすことによって構成されている。第１プラグ１１１及び第２プラグ１１２の各々は、それぞれ、帯状の金属板である。
【００３４】
第１プラグ１１１及び第２プラグ１１２は、図４に示すように、連結部１４により互いの相対位置が変化しないように、電気的に絶縁された状態で連結（固定）されている。連結部１４のｙ軸方向に沿った両端部には、それぞれ、円柱状の突起１５が形成されている。連結部１４は、樹脂材料を成型することによって得られる。
【００３５】
本実施形態において、プラグ１１は、フレーム１３から突出させたり、フレーム１３に収納したりすることができる可倒式の構成を採用している。ただし、プラグ１１は、フレーム１３から突出したままである固定式の構成を採用していてもよい。以下においては、フレーム１３からプラグ１１が突出した状態の給電モジュール１０を用いて説明する。なお、プラグ１１は、フレーム１３からｚ軸正方向に向かって突出している。ｚ軸正方向は、第１方向の一例である。
【００３６】
（電極対）
電極対１２は、第１電極１２１及び第２電極１２２を備えている。第１電極１２１及び第２電極１２２の各々は、それぞれ、帯状の金属板より構成されている。
【００３７】
図４、図５、及び図６に示すように、第１電極１２１は、金属板を「Ｌ」字型に切り出したうえで、一方の端部であるある端部１２１ａと、他方の端部であり第１板バネ１２１ｃとを折り曲げることによって得られる。第１板バネ１２１ｃのうち、端部１２１ａ及び第１板バネ１２１ｃ以外の部分を中間部１２１ｂと称する。切り出した状態における「Ｌ」字型の角に対応する部分は、中間部１２１ｂに位置する。
【００３８】
第２電極１２２は、第１電極１２１と同様に構成されている。ただし、第１プラグ１１１及び第２プラグ１１２が同一のｙｚ平面内に位置し、第１板バネ１２１ｃ及び第２板バネ１２２ｃが後述する平面Ｐ１内に位置する。そのうえで、第１電極１２１が第１プラグ１１１と第１板バネ１２１ｃとを導通させ、第２電極１２２が第２プラグ１１２と第２板バネ１２２ｃとを導通させるために、第２電極１２２の中間部１２２ｂの方が第１電極１２１の中間部１２１ｂよりも小さく形成されている。
【００３９】
それぞれの一方の端部であるある端部１２１ａ，１２２ａ（図５参照）の各々は、それぞれ、第１プラグ１１１及び第２プラグ１１２の各々と導通するように構成されている。
【００４０】
図６には、プラグ１１のうち第１プラグ１１１のみを図示している。また、図６では、プラグ１１がフレーム１３に収容された状態における第１プラグ１１１を実線で示し、プラグ１１がフレーム１３から突出した状態における第１プラグ１１１を仮想線で示している。図６を参照して説明する内容に関して、第１プラグ１１１と第２プラグ１１２とは、同様に構成されている。
【００４１】
図６に示すように、第１電極１２１は、端部１２１ａと中間部１２１ｂとのなす角が１３５°程度になるように折り曲げられている。また、端部１２１ａと中間部１２１ｂとの境界には、凹部１２１ｄが形成されている。
【００４２】
プラグ１１がフレーム１３に収容された状態において、第１プラグ１１１のコンセントに差し込まれる側と逆側の端部１１１ａは、端部１２１ａと離間している。すなわち、第１プラグ１１１と端部１２１ａとは導通していない。
【００４３】
一方、プラグ１１をフレーム１３から突出させるために、第１プラグ１１１をｘ軸正方向からｚ軸正方向へ突起１５の中心軸周りに回転させた場合、端部１１１ａが端部１２１ａを押すことによって、端部１２１ａ及び中間部１２１ｂの一部をしならせる。したがって、端部１２１ａは、第１プラグ１１１の方向に押しつけられるので、第１プラグ１１１と端部１２１ａとは良好に導通する。
【００４４】
プラグ１１をフレーム１３から突出させた状態（すなわち、第１プラグ１１１がｚ軸正方向へ突出している状態）において、端部１１１ａは、凹部１２１ｄにはまり込む。このとき、端部１２１ａが第１プラグ１１１の方向に押しつけられていることと、端部１１１ａが凹部１２１ｄにはまり込んでいることとにより、第１プラグ１１１は、適度な力で固定される。また、端部１１１ａが凹部１２１ｄにはまり込むことによってクリック感が生じるので、給電モジュール１０は、プラグ１１がフレーム１３から突出したことをユーザの手に伝達することができる。
【００４５】
また、第１電極１２１及び第２電極１２２の他方の端部は、それぞれ、フレーム１３の外部に引き出されている。第１電極１２１及び第２電極１２２の他方の端部の各々は、金属板を折り曲げることによって、それぞれ、第１板バネ１２１ｃ及び第２板バネ１２２ｃとなるように構成されている。第１板バネ１２１ｃ及び第２板バネ１２２ｃについては、図４及び図５を参照して後述する。
【００４６】
（フレーム）
フレーム１３は、第１フレーム１３１及び第２フレーム１３２を備えている。第１フレーム１３１及び第２フレーム１３２の各々は、それぞれ、樹脂材料を成型することによって得られる。
【００４７】
第１フレーム１３１は、後述する筐体とともに、ＡＣアダプタ１の外装パネルとして機能する。したがって、第１フレーム１３１の外側の表面は、筐体２０の外側の表面と滑らかにつながるように構成されている。また、第１フレーム１３１の外側の表面には、プラグ１１を収容するための一対の溝が形成されている。
【００４８】
第１フレーム１３１の内側は、外側の表面の形状におよそ沿うように凹部が形成されている。その凹部には、第２フレーム１３２及び電極対１２が配置されている。
【００４９】
第２フレーム１３２は、両側の主面に凹凸が形成されているものの、主要部は、２次元的に延伸された板状部材である。第２フレーム１３２は、その主要部がｘｙ平面に沿うように、第１フレーム１３１に対して２本のねじ（図１の分解斜視図には不図示）を用いて固定されている。
【００５０】
また、第１フレーム１３１及び第２フレーム１３２の互いに対向する面の間には、（１）連結部１４及び突起１５を、突起１５の中心軸周りに回転可能な状態で保持する構造と、（２）電極対１２を構成する第１電極１２１及び第２電極１２２の中間部１２１ｂ，１２２ｂを挟み込むことによって電極対１２を固定する構造と、が形成されている。
【００５１】
フレーム１３は、後述する筐体２０とともに基板３０を収容する。このとき、フレーム１３は、前壁２５とともに基板３０を挟み込む後壁として機能する。
【００５２】
（基板を把持する構造）
図４及び図５に示すように、第１板バネ１２１ｃ及び第２板バネ１２２ｃの各々は、それぞれ、第１領域１２１ｃ１，１２２ｃ１、第２領域１２１ｃ２，１２２ｃ２、及び第３領域１２１ｃ３，１２２ｃ３により構成されている。
【００５３】
第１板バネ１２１ｃ及び第２板バネ１２２ｃの各々の一部である第１領域１２１ｃ１，１２２ｃ１は、ｚｘ平面に平行な所定の平面である平面Ｐ１に沿って、且つ、ｚ軸負方向に向かって引き出されている。したがって、第１領域１２１ｃ１，１２２ｃ１は、平面Ｐ１の略面内に配置されている。なお、平面Ｐ１は、ｚ軸正方向と略平行な（本実施形態においては平行な）平面の一例であり、第１平面の一例である。
【００５４】
フレーム１３の第２フレーム１３２には、平面Ｐ１と略平行であり、且つ、平面Ｐ１と所定の間隔Ｄだけ離れている平面Ｐ２を規定する把持部１３２ａ〜１３２ｃが設けられている。平面Ｐ２は、第２平面の一例である。把持部１３２ａ〜１３２ｃの各々は、ｘｙ平面に沿って配置される第２フレーム１３２の表面からｚ軸負方向に向かって突出した板状の突起物である。把持部１３２ａ〜１３２ｃの各々は、それぞれの下端部（ｙ軸正方向側の端部）が平面をなすことによって、平面Ｐ２を規定する。
【００５５】
第２領域１２１ｃ２，１２２ｃ２は、第１領域１２１ｃ１，１２２ｃ１に続く領域である。第２領域１２１ｃ２，１２２ｃ２は、金属板を折り曲げることによって、平面Ｐ１から平面Ｐ２に近づくように構成されている。
【００５６】
第３領域１２１ｃ３，１２２ｃ３は、第２領域１２１ｃ２，１２２ｃ２に続く領域であり、第１板バネ１２１ｃ及び第２板バネ１２２ｃの各々の末端を構成する領域である。第３領域１２１ｃ３，１２２ｃ３は、金属板を折り曲げることによって、平面Ｐ２から遠ざかるように構成されている。
【００５７】
以上のように構成されていることによって、第１板バネ１２１ｃ及び第２板バネ１２２ｃの各々と、把持部１３２ａ〜１３２ｃとの間には、所定の厚さを有する板状部材（すなわち基板３０）を挟むことができる。
【００５８】
基板３０の厚さは、間隔Ｄよりも薄く、図４に示した状態における第１電極１２１及び第２電極１２２の各々と平面Ｐ２との間隔の最小値よりも厚い。この最小値は、第１電極１２１及び第２電極１２２の各々における頂点と、平面Ｐ２との距離である。なお、第１電極１２１における頂点は、第２領域１２１ｃ２と第３領域１２１ｃ３との境界に位置し、及び第２電極１２２の各々における頂点は、第２領域１２２ｃ２と第３領域１２２ｃ３との境界に位置する。
【００５９】
なお、本実施形態のように、第１領域１２１ｃ１，１２２ｃ１の背面に後述するサポート１３１１，１３１２が配置されている場合には、基板３０の厚さは、間隔Ｄよりも所定の厚さだけ薄いことが好ましい。この所定の厚さは、第１領域１２１ｃ１，１２２ｃ１と第２領域１２１ｃ２，１２２ｃ２との境界領域であって、折り曲げられている境界領域の厚さ（ｙ軸方向に沿った長さ）である。
【００６０】
以上の構成によれば、第１板バネ１２１ｃ及び第２板バネ１２２ｃの各々と、把持部１３２ａ〜１３２ｃとは、基板３０を把持することができる。
【００６１】
別の言い方をすれば、基板３０の厚さが決定したうえで、第１板バネ１２１ｃ及び第２板バネ１２２ｃの各々の構成を考慮し、間隔Ｄを決めることもできる。間隔Ｄは、把持部１３２ａ〜１３２ｃの位置をｙ軸方向において調整することによって任意に定めることができる。
【００６２】
第１板バネ１２１ｃ及び第２板バネ１２２ｃの各々は、平面Ｐ２から平面Ｐ１に向かう方向に作用する力（ｙ軸正方向に沿って作用する力）に対して弾性変形する。また、第２領域１２１ｃ２，１２２ｃ２が平面Ｐ１から平面Ｐ２に近づくように傾斜を有することによって、基板３０が第１板バネ１２１ｃ及び第２板バネ１２２ｃの各々と、把持部１３２ａ〜１３２ｃとの間に差し込まれる場合に、第１板バネ１２１ｃ及び第２板バネ１２２ｃの各々は、引っかかりなどの不具合を生じさせることなく弾性変形することができる。
【００６３】
また、フレーム１３の第１フレーム１３１には、第１板バネ１２１ｃ及び第２板バネ１２２ｃの各々の第１領域１２１ｃ１，１２２ｃ１の背面に沿って、サポート１３１１，１３１２が配置されている。ここで、第１領域１２１ｃ１，１２２ｃ１の背面とは、第２領域１２１ｃ２，１２２ｃ２及び第３領域１２１ｃ３，１２２ｃ３と逆側の面である。本実施形態において、サポート１３１１，１３１２は、ｚｘ平面に略平行な板状部材である主部と、主部の両サイドに設けられた一対の補強部であって、ｙｚ平面に略平行な板状部材である一対の補強部とにより構成されている。
【００６４】
＜筐体＞
筐体２０は、樹脂材料を成型することによって得られる。図１の分解斜視図及び図２に示すように、筐体２０は、一対の底壁の一例である底壁２１，２２と、一対の側壁の一例である側壁２３，２４と、前壁２５と、を備えている。
【００６５】
底壁２１，２２と、側壁２３，２４と、前壁２５との外側の表面は、おおよそ平面となるように構成されている。ただし、底壁２１，２２は、外縁領域にくらべて中央領域が外側に張り出すように構成されている。また、前壁２５と側壁２３との境界、及び、前壁２５と側壁２４との境界は、何れも、滑らかな曲面となるように角丸状に構成されている。
【００６６】
底壁２１，２２は、基板３０の主面３０ａ，３０ｂと略平行であり、基板３０を挟み込む。
【００６７】
側壁２３，２４及び前壁２５は、主面３０ａ，３０ｂと略垂直であり、基板３０の３方を囲む。また、側壁２３，２４は、基板３０を挟み込み、前壁２５は、上述したフレーム１３とともに基板３０を挟み込む。
【００６８】
本実施形態において、筐体２０とフレーム１３とは、基板３０を収容した状態で溶着されている。ただし、筐体２０とフレーム１３とを接合する方法は、溶着に限定されるものではなく、適宜選択することができる。
【００６９】
基板３０は、このように、筐体２０及びフレーム１３により、４方から挟み込まれている。また、基板３０の入力ポート３１が形成された領域は、第１板バネ１２１ｃ及び第２板バネ１２２ｃの各々と、把持部１３２ａ〜１３２ｃとにより把持されている。
【００７０】
加えて、側壁２３，２４の内側の表面（内壁）には、間隔が基板３０の幅（ｘ軸方向に沿った長さ）に略一致し、基板３０をｚ軸正方向及びｚ軸負方向に沿って移動可能な一対のスロットであるスロット２３１，２４１が設けられている（図２参照）。また、図２に仮想線で示す領域Ｒ３０は、基板３０が収容されるべき領域である。スロット２３１，２４１は、側壁２３，２４の内壁に形成された溝である。スロット２３１，２４１は、基板３０における３０ａ，３０ｂの法線方向（ｙ軸方向）に沿った動きを制限する。
【００７１】
後述するように、本実施形態において、出力ポート３２は、基板３０の外縁領域のうち前壁２５に近接する外縁領域に配置されている。したがって、前壁２５の出力ポート３２に対応する領域には、開口２５１が設けられている。
【００７２】
また、前壁２５の開口２５１を取り囲む領域には、一定の幅に亘って厚さが薄くなるようにガイド溝２５２が形成されている。ガイド溝２５２は、筐体２０内に基板３０を収容し、フレーム１３を融着した状態において、出力ポート３２の外縁がガイド溝２５２にはまるように構成されている。したがって、出力ポート３２は、ガイド溝２５２によりその位置を保持される。
【００７３】
また、長方形である開口２５１の長辺の近傍には、開口２５１に沿ったガイド爪２５３，２５４が設けられている。ガイド爪２５３，２５４は、前壁２５の内壁からｚ軸正方向に向かって突出した板状部材である。
【００７４】
また、底壁２１には、底壁２１の内壁から線状に突出したリブ２５５，２５６，２５７が形成されている。また、底壁２２には、底壁２２の内壁から線状に突出したリブ２５８，２５９，２６０が形成されている。
【００７５】
本実施形態において、底壁２１，２２の各々には、それぞれ、３本のリブ２５５〜２５７及びリブ２５８〜２６０が設けられている。ただし、底壁２１，２２の各々に形成されるリブの数は、限定されるものではなく、１本であってもよいし、複数であってもよい。リブの高さや本数などの設計パラメータは、筐体２０の強度や放熱特性などを考慮して適宜設定することができる。
【００７６】
＜基板＞
基板３０は、主たる部分が誘電体により構成されたリジッドな板状部材である。基板３０は、プリント基板を採用することができる。基板３０の厚さは、図４に示した間隔Ｄよりも薄く、図４に示した状態における第１電極１２１及び第２電極１２２の各々と平面Ｐ２との間隔の最小値よりも厚い。また、本実施形態のように、第１領域１２１ｃ１，１２２ｃ１の背面に後述するサポート１３１１，１３１２が配置されている場合には、基板３０の厚さは、間隔Ｄよりも所定の厚さだけ薄いことが好ましい。この所定の厚さは、第１領域１２１ｃ１，１２２ｃ１と第２領域１２１ｃ２，１２２ｃ２との境界領域であって、折り曲げられている境界領域の厚さ（ｙ軸方向に沿った長さ）である。基板３０の厚さは、限定されるものではなく、適宜定めることができる。
【００７７】
基板３０の一対の主面のうち、一方の主面である主面３０ａには、入力ポート３１が実装されており、他方の主面である主面３０ｂには、出力ポート３２及び交流／直流変換回路３３が実装されている（図１の分解斜視図及び図３参照）。出力ポート３２は、筐体２０に形成された開口２５１の位置と対応して、基板３０の外縁領域のうち前壁２５に近接する外縁領域に配置されている。
【００７８】
なお、本実施形態において、ＡＣアダプタ１は、１つの出力ポート３２を備えている。ただし、ＡＣアダプタ１が備えている出力ポート３２の数は、１つに限定されるものではなく、複数であってもよい。出力ポート３２の数が複数である場合、各出力ポート３２に対応して、前壁２５にも複数の開口２５１が形成されていればよい。
【００７９】
なお、図１においては、基板３０の主面３０ｂに実装された交流／直流変換回路３３の図示を省略している。また、図３においては、交流／直流変換回路３３の具体的な構成は図示せずに、交流／直流変換回路３３が実装されている領域を仮想線（二点鎖線）で図示している。本実施形態において、交流／直流変換回路３３は、主面３０ｂのみに実装されている。ただし、交流／直流変換回路３３の一部は、主面３０ａに実装されていてもよい。
【００８０】
主面３０ａの外縁の一部には、前記交流／直流変換回路３３に交流電力を入力する入力ポートが設けられている（図１の分解斜視図及び図３参照）。
【００８１】
上述したように、第１板バネ１２１ｃ及び第２板バネ１２２ｃの各々と、把持部１３２ａ〜１３２ｃとの間に差し込まれることによって、基板３０は、第１板バネ１２１ｃ及び第２板バネ１２２ｃと、把持部１３２ａ〜１３２ｃとにより把持される。このとき、主面３０ａが第１板バネ１２１ｃ及び第２板バネ１２２ｃにより付勢されることによって、主面３０ｂは、平面Ｐ２と略一致する。
【００８２】
また、入力ポート３１の第１端子３１１に第１板バネ１２１ｃが押しつけられ、入力ポート３１の第２端子３１２に第２板バネ１２２ｃが押しつけられるので、電極対１２から入力ポート３１に交流電力が供給される。
【００８３】
上述したように、交流／直流変換回路３３は、供給された交流電力を、所定の電圧比を有する直流電力に変換したうえで、その直流電力を出力ポート３２に供給する。本実施形態において、交流／直流変換回路３３の定格出力は、１０．５Ｗである。ただし、交流／直流変換回路３３の定格出力は、限定されるものではなく、所望の仕様に応じて適宜設定することができる。出力ポート３２としてＵＳＢ  Ｔｙｐｅ−Ａのコネクタジャックが採用されている場合であれば、定格出力の一例としては、１７Ｗが挙げられる。また、出力ポート３２としてＵＳＢ  Ｔｙｐｅ−Ｃのコネクタジャックが採用されており、ＡＣアダプタ１がＵＳＢ  ＰＤの規格に準拠するＡＣアダプタであってもよい。
【００８４】
＜給電モジュール及びＡＣアダプタの効果＞
上述したように、給電モジュール１０において、電極対１２を構成する第１電極１２１及び第２電極１２２の他方の端部は、それぞれ、フレーム１３の外部に引き出された第１板バネ１２１ｃ及び第２板バネ１２２ｃにより構成されている。
【００８５】
上記の構成によれば、給電モジュール１０を備えたＡＣアダプタ１において、電極対１２と入力ポート３１とを導通させる場合に、第１板バネ１２１ｃ及び第２板バネ１２２ｃの弾性を利用することができる。すなわち、半田やねじなどの導通手段を用いることなく、電極対１２と入力ポート３１とを良好に接触させることができる。したがって、給電モジュール１０は、電極対１２と入力ポート３１とを導通させる工程を簡略化することができる。
【００８６】
給電モジュール１０において、第１板バネ１２１ｃ及び第２板バネ１２２ｃの各々は、平面Ｐ１に沿って、且つ、ｚ軸負方向に向かってに引き出されており、フレーム１３の第２フレーム１３２には、平面Ｐ１と略平行であり、且つ、平面Ｐ１と所定の間隔である間隔Ｄだけ離れている平面Ｐ２を規定する把持部１３２ａ，１３２ｂ，１３２ｃが設けられている。第１板バネ１２１ｃ及び第２板バネ１２２ｃの各々は、平面Ｐ２から平面Ｐ１に向かう方向に作用する力に対して弾性変形する。
【００８７】
上記の構成によれば、第１板バネ１２１ｃ及び第２板バネ１２２ｃと、把持部１３２ａ，１３２ｂ，１３２ｃとの間に基板３０を差し込むことによって、給電モジュール１０に基板３０を接合することができる。入力ポート３１が形成された基板３０を、第１板バネ１２１ｃ及び第２板バネ１２２ｃと、把持部１３２ａ，１３２ｂ，１３２ｃとの間に差し込むだけで、電極対１２と入力ポート３１とを導通させることができる。したがって、給電モジュール１０は、電極対１２と入力ポート３１とを導通させる工程を更に簡略化することができる。
【００８８】
給電モジュール１０において、第１板バネ１２１ｃ及び第２電極１２２の各々は、第１領域１２１ｃ１，１２２ｃ１を含み、第２フレーム１３２には、第１領域１２１ｃ１，１２２ｃ１の背面に沿って配置されたサポート１３１１，１３１２が更に設けられている。
【００８９】
上記の構成によれば、第２フレーム１３２にサポート１３１１，１３１２が更に設けられているので、基板３０を、第１板バネ１２１ｃ及び第２板バネ１２２ｃと、把持部１３２ａ，１３２ｂ，１３２ｃとの間に差し込まれた場合に、第１板バネ１２１ｃ及び第２板バネ１２２ｃが撓みすぎることを防ぐことができる。したがって、第１板バネ１２１ｃ及び第２板バネ１２２ｃの各々を入力ポート３１により強く押しつけることができる。
【００９０】
ＡＣアダプタ１は、給電モジュール１０と、筐体２０と、基板３０と、出力ポート３２と、交流／直流変換回路３３と、を備えている。
【００９１】
本発明の一態様に係る給電モジュールは、このようにＡＣアダプタに好適に用いることができる。
【００９２】
ＡＣアダプタ１において、基板３０の主面３０ａの外縁の一部には、入力ポート３１が設けられており、基板３０は、主面３０ｂが平面Ｐ２と略一致するように、且つ、入力ポート３１が第１板バネ１２１ｃ及び第２板バネ１２２ｃにより付勢されるように、第１板バネ１２１ｃ及び第２板バネ１２２ｃと、把持部１３２ａ，１３２ｂ，１３２ｃとにより把持されている。
【００９３】
上記の構成によれば、入力ポート３１が形成された３０を、第１板バネ１２１ｃ及び第２板バネ１２２ｃと、把持部１３２ａ，１３２ｂ，１３２ｃとの間に差し込むだけで、電極対１２と入力ポート３１とを導通させることができる。ＡＣアダプタ１は、製造工程を簡略化することができる。
【００９４】
ＡＣアダプタ１において、筐体２０は、（１）基板３０を挟み込む一対の底壁２１，２２と、（２）基板３０の３方を囲む一対の側壁２３，２４及び前壁２５、を備えている。フレーム１３は、前壁２５とともに基板３０を挟み込む後壁として機能する。側壁２３，２４には、一対のスロット２３１，２４１が設けられている。
【００９５】
上記の構成によれば、側壁２３，２４が基板３０の幅方向（ｘ軸方向）に沿った動きを制限し、２５前壁及びフレーム１３が基板３０の幅方向に直交する方向（ｚ軸方向）に沿った動きを制限し、スロット２３１，２４１が基板３０の法線方向（ｙ軸方向）に沿った動きを制限する。すなわち、接着剤やねじなどの固定手段を用いることなく、筐体内に基板を固定することができる。したがって、ＡＣアダプタ１は、製造工程を更に簡略化することができる。
【００９６】
ＡＣアダプタ１において、出力ポート３２は、基板３０の外縁領域のうち前壁２５に近接する外縁領域に配置されており、前壁２５の出力ポート３２に対応する領域には、開口２５１が設けられている。
【００９７】
上記の構成によれば、筐体２０を一体成型しておき、基板３０をスロット２３１，２４１に沿って移動させるだけで、開口２５１から出力ポート３２を露出させることができる。ＡＣアダプタ１は、製造工程をより一層簡略化することができる。
【００９８】
ＡＣアダプタ１において、底壁２１，２２の各々には、リブ２５５〜２６０が形成されている。
【００９９】
上記の構成によれば、筐体２０内に収容されている基板３０及び交流／直流変換回路３３と、底壁２１，２２の各々との間に、少なくともリブ２５５〜２６０の高さに対応する空間を設けることができる。また、底壁２１，２２に筐体をつぶす方向の圧力が加えられた場合であっても、基板３０及び交流／直流変換回路３３と、底壁２１，２２の各々とが直に接することを防ぐことができる。ＡＣアダプタ１は、交流／直流変換回路３３に起因する発熱に対する耐性を高めることができる。
【０１００】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１０１】
１                        ＡＣアダプタ
１０                        給電モジュール
１１                        プラグ
１１１，１１２                第１プラグ，第２プラグ
１２                        電極対
１２１，１２２                第１電極，第２電極
１２１ａ，１２２ａ            端部（一方の端部）
１２１ｃ，１２２ｃ            第１板バネ，第２板バネ（他方の端部）
１２１ｃ１，１２２ｃ１        第１領域
１２１ｃ２，１２２ｃ２        第２領域
１２１ｃ３，１２２ｃ３        第３領域
１３                        フレーム（後壁）
１３２ａ，１３２ｂ，１３２ｃ  把持部
２０  筐体
２１，２２                  底壁（一対の底壁）
２３，２４                  側壁（一対の側壁）
２３１，２４１                スロット（一対のスロット）
２５                        前壁（前壁）
２５１                        開口
２５５〜２６６                リブ（一対のリブ）
３０  基板
３０ａ，３０ｂ              主面（一方の主面、他方の主面）
３１  入力ポート
３１１，３１２                第１端子，第２端子
３２  出力ポート
３３  交流／直流変換回路
【図１】
0006957591.tif 000002
【図２】
0006957591.tif 000003
【図３】
0006957591.tif 000004
【図４】
0006957591.tif 000005
【図５】
0006957591.tif 000006
【図６】
0006957591.tif 000007